(57)【要約】      （修正有）【課題】  使用時でないときや運搬時にスペースをとらず、迅速に組立可能で、しかも積み重ね可能であり、製造が容易になるように構成された汎用の折り畳み式の可撓性運搬収納容器を提供する。【解決手段】  本容器には、少なくとも１つのフレームがわたっており、特に長方形の２つのワイヤループは、当該ワイヤループが回動自在となるように２つの対向する側壁に装着され、使用位置で長手方向の側壁と両端側壁とが基板に対して約９０°の角度を形成して緊張状態で張られ、当該ワイヤループの自由縁が側壁と基板との間の対応する縁部に固定されているものである。【選択図】図１
0003108844.tif 000002
【実用新案登録請求の範囲】
【請求項１】
互いに直角に交じる４つの可撓性側壁と基板と蓋とを備え、支柱により安定化された、特に家庭用品、玩具、洗濯物などに用いる折り畳み式の可撓性運搬収納容器であって、
容器１には、少なくとも１つのフレーム４、４’がわたっており、特に長方形の２つのワイヤループ９、９’は、該ワイヤループが回動自在となるように２つの対向する側壁７、７’に装着され、使用位置で長手方向の側壁６、６’と両端側壁７、７’とが基板５に対して約９０°の角度を形成して緊張状態で張られ、該ワイヤループの自由縁１０が側壁と基板５との間の対応する縁部に固定されていることを特徴とする折り畳み式の可撓性運搬収納容器。
【請求項２】
前記ワイヤループ９、９’は、運搬位置で前記フレーム４、４’に対して平行に位置することを特徴とする請求項１に記載の折り畳み式の可撓性運搬収納容器。
【請求項３】
前記フレーム４、４’は、ワイヤフレームとして形成されることを特徴とする請求項１または２に記載の折り畳み式の可撓性運搬収納容器。
【請求項４】
前記ワイヤループ９、９’は、前記両端側壁７、７’の上方縁部に装着されることを特徴とする請求項１〜３のいずれか一項に記載の折り畳み式の可撓性運搬収納容器。
【請求項５】
前記ワイヤループ９、９’は、該ワイヤループが回動自在となるように両端側壁７、７’の折り曲げ部８に固定されていることを特徴とする請求項４に記載の折り畳み式の可撓性運搬収納容器。
【請求項６】
前記蓋２は、前記両側壁６の一方に固定されるか、または該両側壁に一体形成されることを特徴とする請求項４または５に記載の折り畳み式の可撓性運搬収納容器。
【請求項７】
前記容器１は、起立時に箱型であることを特徴とする請求項１〜６のいずれか一項に記載の折り畳み式の可撓性運搬収納容器。
【請求項８】
ジッパー３の一部が前記両端側壁７、７’の上方縁部と前記長手方向の側壁６’とに設けられ、前記蓋２で前記ジッパー３の他方の部分と相互作用することを特徴とする請求項１〜７のいずれか一項に記載の折り畳み式の可撓性運搬収納容器。
【請求項９】
前記蓋２と前記基板５と前記側壁６、６’、７、７’は、縫い付けられていることを特徴とする請求項１〜８のいずれか一項に記載の折り畳み式の可撓性運搬収納容器。
【請求項１０】
前記両端側壁７、７’の外側側面に、ストラップを運搬するための運搬ハンドル１１または保持部材が装着されていることを特徴とする請求項１〜９のいずれか一項に記載の折り畳み式の可撓性運搬収納容器。
【請求項１１】
前記両端側壁７、７’の外側側面に、名前ラベル用などのスリップインポケット１２が装着されていることを特徴とする請求項１〜９のいずれか一項に記載の折り畳み式の可撓性運搬収納容器。
【考案の詳細な説明】
【技術分野】
【０００１】
本出願は、折り畳み式の可撓性運搬収納容器に関し、特に、互いに直角に交じる４つの可撓性側壁と基板と蓋とを備え、支柱により安定化された、家庭用品、玩具、洗濯物などに用いる運搬収納容器に関する。
【背景技術】
【０００２】
この種の運搬収納容器は、（特許文献１）に開示されている。この容器の場合、製造や取り扱いの複雑な取り外し可能なフレームが容器に行きわたるように設けられている。このフレームは、４つの支持部材と、それに装着し多様な高さで支持部材へと掛け金をかけることができる相互に連結する複数のフレーム部材とを備える。
【０００３】
【特許文献１】独国特許出願公開第４４  ４３  ３３４  Ａ１号明細書
【考案の開示】
【考案が解決しようとする課題】
【０００４】
そこで、解決しようとする課題は、特に、家庭用品、玩具、洗濯物などに用いられ、使用時でないときや運搬時にスペースをとらず、迅速に組立可能で、しかも積み重ね可能であり、製造が容易になるように構成された汎用の折り畳み式の可撓性運搬収納容器を提供することである。
【課題を解決するための手段】
【０００５】
本課題は、請求項１の前文に示される容器の場合、当該請求項の特徴部分に示された次のような特徴と組み合わされて解決されるものである。すなわち、本容器には、少なくとも１つのフレームがわたっており、特に長方形の２つのワイヤループは、当該ワイヤループが回動自在となるように２つの対向する側壁に装着され、使用位置で長手方向の側壁と両端側壁とが基板に対して約９０°の角度を形成して緊張状態で張られ、当該ワイヤループの自由縁が側壁と基板との間の対応する縁部に固定されているものである。
【考案の効果】
【０００６】
本考案の効果として、かかる構成によれば、第一に、容器の最適な側面に、便宜上、上方側面に、明確に規定された開口部が形成され、第２に、たった２つの同一部品からなり且つ容器に一体化される張力機構を形成することができる。
【０００７】
更に、好都合な改良点およびその利点については、従属請求項から明らかである。
【０００８】
以下、本考案の例示的実施形態について、添付図面を参照しながら説明する。
【考案を実施するための最良の形態】
【０００９】
図１では、使用位置で箱型の運搬収納容器１を示している。この容器は、例えば、リネン材などの可撓性材料からなり、上部が開放され、蓋２により閉じることができる。またこの容器は、例えば、約５０ｃｍ×４０ｃｍ×３０ｃｍの大きさを有する。勿論、容器１はまた、他の可撓性材料、例えば、プラスチックフィルム（例えば、ナイロン）、特に積層のおよび／またはエンボス加工されたまたは表面模様付のプラスチックフィルムか、或いは革などから構成することもできる。さらに、複数の容器１が互いに積み重ねられた際であっても容器１内の内容物にすぐに触れられるようにするため、容器１の端部または長手方向の側壁に、開口部を設けることができる。また、取り扱い性を向上する目的で、両端側壁７、７’には、運搬ハンドル１１が装着されており、例えば、縫い付けられたり、接着剤で結合されたり、またはくぎ付けにされている。同様に、運搬用ストラップをもまた装着することができる。さらに、例えば、名前ラベルなどを滑り入れるためのスリップインポケット１２も装着することができる。
【００１０】
図２および図３から分かるように、蓋２は、容器１の側壁６の１つに取り付けられており、例えば、縫い付けられたり、または接着剤で結合されたり、あるいは側壁または端壁と一体形成されている。そして、蓋を閉じるために、ジッパー３が設けられている。
【００１１】
容器の上方縁部には、例えば、縁部を折り曲げて縫い入れ、容器の開口部にわたるようにして固定されたワイヤフレーム４が装着されている。同様に、基板５にわたるようにされたワイヤフレーム４’をも、勿論容器１の下方縁部に装着することができる。なお、例えば、合板またはプラスチックから形成された固定基板をも挿入することができる。
【００１２】
容器は、例えば、２つの異なる長方形のブランク材のみから製造することができる。すなわち、各場合、蓋２および基板５用の一様に大きい材料片と、両端側壁７の半分で一体に隣接し容器の長手方向の側壁６用の２つの一様に大きい材料片とからなる。ジッパー３は、まず蓋２の縁部に挿入され（例えば、縫い付けられたり、または接着剤で結合されたり）、側壁６および両端側壁７のツメ（図示せず）にこれらの他の半分により固定される。
【００１３】
また、蓋２なしで構成することも想定でき、その場合、開放状態の容器が製造されることになる。
【００１４】
同様に、例えば、装飾的な縫い目やより糸などで縁部が互いに結合された４つの分離した側壁を用いることも可能である。
【００１５】
また、安定して起立可能とされた箱を製造するためには、各場合で、対応する両端側壁７、７’と略同じ大きさの長方形または正方形のワイヤループ９、９’を、当該ワイヤループが回動自在となるように折り曲げ部８にて両端側壁７、７’の上方縁部に装着する。そして、これらワイヤループ９、９’を容器１の上部でワイヤフレーム４と略平行となるまで回動させると、その結果、容器１は、必要でない場合、または中身が空の状態で運搬する場合に、平たくつぶすことができる。また、ワイヤループ９、９’を両端側壁７、７’に略平行となりこれに支持されるまで回動させるだけで、その結果、最適な寸法を有する緊張状態で張られた容器を形成することができる。また、ワイヤループ９、９’の自由縁１０は、この場合、基板に堅固に固定することができる。
【００１６】
図２では、上方に折り曲げられているワイヤループ９、９’により容器１がどのように折り曲げられるかが分かる。そして、ワイヤフレーム４は、下方に押され、長手方向の側壁６、６’と両端側壁７、７’がアコーディオン式に内方に折り曲げ可能となる。
【００１７】
図３は、使用位置で蓋２が折り曲げて開放された状態の容器１を部分的に示す図である。この場合、ワイヤループ９は、容器１の端側壁７を、更にこれによって長手方向の側壁６をも、緊張状態で張るように、下方に折り曲げられている。ワイヤループ９の自由縁１０は、その縁部を締め付け具で固定されている。ただし、この自由縁は、例えば、図示しないタッチ・クローズ型のテープで固定することもできる。
【図面の簡単な説明】
【００１８】
【図１】蓋を閉じた状態の折り畳み式の可撓性運搬収納容器を示す斜視図である。
【図２】蓋付き容器を運搬位置に折り曲げた段階でその蓋を開放した状態とした容器を示す平面図である。
【図３】使用位置で安定化フレームを下方に折り曲げた状態とした容器の端壁部を示す斜視図である。
【符号の説明】
【００１９】
１  運搬収納容器
２  蓋
３  ジッパー
４、４’  ワイヤフレーム
５  基板
６、６’  長手方向の側壁
７、７’  端側壁
８  折り曲げ部
９、９’  ワイヤループ
１０  ９の縁
１１  運搬ハンドル
１２  スリップインポケット
【図１】
0003108844.tif 000003
【図２】
0003108844.tif 000004
【図３】
0003108844.tif 000005